(57)【特許請求の範囲】
【請求項１】
巻付け可能な編成されたテキスタイルスリーブであって、
編成された糸からなる壁部を備え、前記壁部は、対向する縁部が対向する端部間において前記スリーブの長手方向軸に沿って長さ方向に延在し、前記壁部の真っすぐにされた長さは前記対向する端部間にわたり、前記編成された糸は、前記長手方向軸と概ね平行に延在する経糸と、前記長手方向軸を概ね横断するように延在する緯糸とを含み、前記対向する縁部は、管状中空部を形成するよう互いに重なるように巻付け可能であり；
前記緯糸の少なくとも１つは、前記壁部の前記真っすぐにされた長さよりも大きい真っすぐにされた長さを有する電気的機能の糸であり、それによって、前記少なくとも１つの電気的機能の糸の対向する端部が、前記壁部の前記対向する端部から軸方向に外方向に引張られて、電源への取付けのためのリードを形成することを可能にする、巻付け可能な編成されたテキスタイルスリーブ。
【請求項２】
前記少なくとも１つの電気的機能の糸は、前記経糸のうちの近接する経糸のまわりでループ状にされる、請求項１に記載の巻付け可能な編成されたテキスタイルスリーブ。
【請求項３】
前記経糸はトリコット編目で編成される、請求項１に記載の巻付け可能な編成されたテキスタイルスリーブ。
【請求項４】
前記緯糸は前記経糸とレイインされる、請求項１に記載の巻付け可能な編成されたテキスタイルスリーブ。
【請求項５】
前記経糸はマルチフィラメントである、請求項１に記載の巻付け可能な編成されたテキスタイルスリーブ。
【請求項６】
前記緯糸はモノフィラメントである、請求項５に記載の巻付け可能な編成されたテキスタイルスリーブ。
【請求項７】
前記緯糸を熱硬化して、前記対向する縁部を互いと重なる関係に付勢する、請求項６に記載の巻付け可能な編成されたテキスタイルスリーブ。
【請求項８】
前記少なくとも１つの電気的機能の糸は複数の電気的機能の糸を含む、請求項１に記載の巻付け可能な編成されたテキスタイルスリーブ。
【請求項９】
前記少なくとも１つの電気的機能の糸は、導電性の金属材料、電気抵抗を与える金属材料、データ伝送材料、および光ファイバ材料の少なくとも１つである、請求項１に記載の巻付け可能な編成されたテキスタイルスリーブ。
【請求項１０】
前記経糸のうちの少なくとも１つは、前記少なくとも１つの電気的機能の緯糸と電気的に通じる状態で構成される電気的機能の糸である、請求項１に記載の巻付け可能な編成されたテキスタイルスリーブ。
【請求項１１】
巻付け可能なテキスタイルスリーブを構築する方法であって、
対向する縁部が長手方向軸に沿って長さ方向に延在する壁部を、前記長手方向軸と概ね平行に延在する経糸を、前記長手方向軸を概ね横断するように延在する緯糸と編成することによって形成するステップと、
少なくとも１つの緯糸の電気的機能の糸が前記長手方向軸に沿って蛇行するように前記少なくとも１つの緯糸の電気的機能の糸を前記壁部にレイインするステップと、
前記壁部および前記少なくとも１つの電気的機能の糸を所望長さに切断して、前記スリーブの対向する端部および前記少なくとも１つの電気的機能の糸の対向する端部を形成するステップと、
前記少なくとも１つの電気的機能の糸の対向する端部を引張って、前記少なくとも１つの電気的機能の糸の引張られた端部を前記壁部の切断された端部から外方向に延在させるステップとを含み、延在された端部は、電力源への取付けのためのリードとして働き得る、巻付け可能なテキスタイルスリーブを構築する方法。
【請求項１２】
前記少なくとも１つの電気的機能の糸を、近接する経糸のまわりでループ状にするステップをさらに含む、請求項１１に記載の方法。
【請求項１３】
前記少なくとも１つの電気的機能の糸の対向する端部を引張りながら前記近接する経糸を互いに向かって引いて前記近接する経糸間の隙間を閉じるステップをさらに含む、請求項１２に記載の方法。
【請求項１４】
前記近接する経糸を電気的機能の糸として与えるステップをさらに含む、請求項１２に記載の方法。
【請求項１５】
前記経糸をトリコット編目で編成するステップをさらに含む、請求項１１に記載の方法。
【請求項１６】
前記経糸をマルチフィラメントとして与えるステップをさらに含む、請求項１１に記載の方法。
【請求項１７】
前記緯糸をモノフィラメントとして与えるステップをさらに含む、請求項１６に記載の方法。
【請求項１８】
緯糸を熱硬化して、前記壁部の対向する縁部を互いと重なる関係に付勢するステップをさらに含む、請求項１７に記載の方法。
【請求項１９】
前記少なくとも１つの電気的機能の糸を、導電性の金属材料、電気抵抗を与える金属材料、データ伝送材料、および光ファイバ材料の少なくとも１つとして与えるステップをさらに含む、請求項１１に記載の方法。
【請求項２０】
前記経糸のうちの少なくとも１つを、前記少なくとも１つの電気的機能の緯糸と電気的に通じる状態で構成される電気的機能の糸として与えるステップをさらに含む、請求項１１に記載の方法。
【発明の詳細な説明】
【技術分野】
【０００１】
関連出願への相互参照
この出願は２０１３年３月１３日に提出された米国仮出願連続番号第６１／７７９，１８９号の恩恵を主張し、その全体をここに引用により援用する。
【０００２】
発明の背景
１．発明の分野
この発明は、一般的にケーブル、管状物などに巻付けるために用いられる、編成されたテキスタイルスリーブに関し、特に、１つ以上の金属糸またはワイヤがテキスタイルスリーブ材料に組入れられ、電源への接続のためにテキスタイルスリーブの端部から延在するリード端を伴う、そのようなスリーブ、およびそのようなスリーブを形成する方法に関する。
【背景技術】
【０００３】
２．関連技術
一束のワイヤに巻付け、それを案内するかまたは管のような他の長尺の物品を覆うためのテキスタイルスリーブは、時に、１つ以上の導電性または抵抗を与える金属ワイヤを含むよう製造される。ワイヤは（例えば織られた）スリーブのテキスタイル構造に組込まれてもよく、ワイヤの端部がテキスタイル材料の端部を越えて延在する状態で長さ方向に延在して、電源への接続のためにワイヤの一方端または両端で突出する電気的リードを呈してもよい。導電性の、および／または抵抗を与えるワイヤを有するそのようなテキスタイルスリーブ構造を形成する１つの公知の方法は、テキスタイルスリーブを織ること、および１つ以上の導電性ワイヤをテキスタイルスリーブの製造中に織られた構造のパーツとして統合することを伴う。その後、テキスタイル材料の端部をトリミングし戻して、１つ以上のワイヤの端部を露出させ、したがって、それらは、最後には、テキスタイルスリーブ材料のトリミングされた端部を越えて延在することになり、電源への接続のためのリードとして働くことができる。そのようなプロセスは、効果的ではあるが、面倒であり、そのようなテキスタイルスリーブの製造コストを増大させる。
【発明の概要】
【課題を解決するための手段】
【０００４】
発明の概要
巻付け可能な編成されたテキスタイルスリーブは、編成された糸からなる壁部を備え、壁部は、対向する縁部が対向する端部間においてスリーブの長手方向軸に沿って長さ方向に延在し、壁部の真っすぐにされた長さは対向する端部間にわたる。編成された糸は、長手方向軸と概ね平行に延在する経糸と、長手方向軸を概ね横断するように延在する緯糸とを含む。対向する縁部は、管状中空部を形成するよう互いに重なるように巻付け可能である。緯糸の少なくとも１つは、壁部の真っすぐにされた長さよりも大きい真っすぐにされた長さを有する電気的機能の糸であり、それによって、少なくとも１つの電気的機能の部材の対向する端部が、壁部の対向する端部から軸方向に外方向に引張られて、電源への取付けのためのリードを形成することを可能にする。
【０００５】
この発明のさらなる局面によれば、少なくとも１つの電気的機能の糸を、少なくとも１つの電気的機能の糸の対向する側に位置する近接する経糸のまわりでループ状にする。
【０００６】
この発明のさらなる局面によれば、経糸はトリコット編目で編成される。
この発明のさらなる局面によれば、緯糸は経糸とレイインされる。
【０００７】
この発明のさらなる局面によれば、緯糸を熱硬化して、対向する縁部を互いと重なる関係に付勢する。
【０００８】
この発明のさらなる局面によれば、少なくとも１つの電気的機能の糸は、導電性の金属材料、電気抵抗を与える金属材料、データ伝送材料、および光ファイバ材料の少なくとも１つである。
【０００９】
この発明のさらなる局面によれば、経糸のうちの少なくとも１つは、少なくとも１つ少なくとも１つの電気的機能の緯糸と電気的に通じる状態で構成される電気的機能の糸である。
【００１０】
この発明のさらなる局面によれば、巻付け可能なテキスタイルスリーブを構築する方法は、対向する縁部が長手方向軸に沿って長さ方向に延在する壁部を、長手方向軸と概ね平行に延在する経糸を、長手方向軸を概ね横断するように延在する緯糸と編成することによって形成するステップと；少なくとも１つの緯糸の電気的機能の糸が長手方向軸に沿って蛇行するように少なくとも１つの緯糸の電気的機能の糸を壁部にレイインするステップと；壁部および少なくとも１つの電気的機能の部材を所望長さに切断して、スリーブの対向する端部および少なくとも１つの電気的機能の部材の対向する端部を形成するステップと；少なくとも１つの電気的機能の部材の対向する端部を引張って、少なくとも１つの電気的機能の部材の引張られた端部を壁部の切断された端部から外方向に延在させるステップとを含み、延在された端部は、電力源への取付けのためのリードとして働き得る。
【００１１】
この発明のさらなる局面によれば、この方法は、少なくとも１つの電気的機能の糸を、少なくとも１つの電気的機能の糸の対向する側において、近接する経糸のまわりでループ状にするステップと、少なくとも１つの電気的機能の部材の対向する端部を引張りながら近接する経糸を互いに向かって引いて近接する経糸間の隙間を閉じるステップとをさらに含む。
【００１２】
この発明のさらなる局面によれば、この方法は、緯糸の電気的機能の糸に近接する経糸を電気的機能の糸として与えるステップをさらに含む。
【００１３】
この発明のさらなる局面によれば、この方法は、経糸をトリコット編目で編成するステップをさらに含む。
【００１４】
この発明のさらなる局面によれば、この方法は、緯糸を熱硬化して、壁部の対向する縁部を互いと重なる関係に付勢するステップをさらに含む。
【００１５】
この発明のさらなる局面によれば、この方法は、経糸のうちの少なくとも１つを、少なくとも１つの電気的機能の緯糸と電気的に通じる状態で構成される電気的機能の糸として与えるステップをさらに含む。
【００１６】
図面の簡単な説明
この発明のこれらならびに他の目的、特徴および利点は、以下の詳細な記載および特許請求の範囲を添付の図面との関連において考慮して参照することによって一層よく理解されるため、容易に十分に理解される。
【図面の簡単な説明】
【００１７】
【図１】この発明の１つの実施の形態に従って構築された電気的機能の糸を伴う巻付け可能なテキスタイル編成スリーブの斜視図である。
【図２】図１のスリーブの断面図である。
【図３】電気的機能の部材の数が低減されて示される、張力をかけられる前の状態における図１のスリーブの壁部の概略的な平面図である。
【図４】図３と同様であるが、張力をかけられた後の状態におけるスリーブの壁部の図である。
【図５】図１のスリーブの編成されるパターンの部分的な概略図である。
【図６】４と同様であるが、この発明の他の実施の形態に従って構築されたスリーブの図である。
【発明を実施するための形態】
【００１８】
現在好ましい実施の形態の詳細な説明
図面をより詳細に参照して、図１は、この発明の１つの実施の形態に従って構築された、経編されたテキスタイルの、巻付け可能なスリーブ１０を示し、複数の非金属の織編用糸１２から形成される経編壁部１１と、（導電性、および／または抵抗を与える、および／またはデータ伝送など）電気的機能の糸１４とも称される少なくとも１つの電気的機能の部材とを有する。スリーブ１０は、構造において概ね管状であり、その長さに沿ってシーム１５によって分割されて、対向する端部２０と２２との間において長手方向の中心軸１７と概ね平行に延在する長手方向縁部１６、１８を呈する。長手方向縁部１６、１８は互いと重なる関係に巻付けられて、少なくとも１つの長尺の部材２４が受けられる管状中空部１９を周方向に囲む。
【００１９】
織編用糸１２は、有機ポリマー材料（プラスチック）、天然繊維、鉱物繊維、金属糸、非金属糸、および／またはそれらの組合せを含むがそれらに限定はされない、多くの材料の任意のものから製造されてもよい。糸１２はモノフィラメントであってもよく、またはマルチフィラメントであってもよく、またはモノフィラメントとマルチフィラメントとの組合せであってもよい。織編用糸１２の少なくともいくつかは熱硬化可能または熱成形可能材料から形成されてもよく、これらの糸１２はカール形状を帯びるよう熱硬化されて、自己巻付付勢をスリーブ１０の壁部１１に与え、したがって、それは、外部的に適用される力を介してその長さに沿って開き得、流体運搬管、パイプもしくはホース、またはワイヤハーネスなどのような、スリーブ１０が巻付けられるべき細長い構造２４にわたって設置され、外部的に適用される力が解放された後、自ら閉じる。織編用糸１２は同じ直径もしくはデニールであってもよく、または異なる直径もしくはデニールであってもよい。
【００２０】
少なくとも１つの電気的機能の糸１４はスリーブ１０の経編壁部１１内に統合され、一本のワイヤまたはマルチフィラメント（例えば、編組されるか、撚られるか、またはサーブされる（served））構造を含んでもよく、用語「糸」は、電気的機能の糸１４のモノフィラメント構造およびマルチフィラメント構造の両方を包含する。電気的機能の糸１４は、導電性の金属材料、電気抵抗を与える金属材料、データ伝送材料および光ファイバ材料の少なくとも１つ、またはそれらの複数もしくは組合せを含んでもよい。電気的機能の糸１４は、絶縁されてもよく、絶縁されなくてもよく、またはその組合せであってもよい。
【００２１】
図３は、概略的にスリーブ１０の壁部１１の経編構造を示す。織編用糸１２ａのいくつかはスリーブ１０の長手方向経方向において長手方向の中心軸１７と概ね平行な関係で延在し、織編用緯糸１２ｂと稠密に編成されて、スリーブ１０の十分な機械的な保護性能（摩耗抵抗）を与える。経糸１２ａのための編成された構築物の一例は、経トリコット編目を形成するトリコット編みであるであるが、必要に応じて、タック、サテン、アトラスのような他の構造を用いることができる。最初に編成される通りでは、電気的機能の糸１４（図３において例として、および限定ではなく、２つが示されるが、図１および図２において示されるように、より多くを含むことができ、電気的機能の糸は、スリーブ１０の全周の周りにおいて互いから周方向に等距離で離間される）は、対向する端部２０、２２間において概ね長手方向の中心軸１７に沿って、経方向に沿って延在するが、緯糸として緯糸１２ｂと緩く編成され、それらは、緯入れまたはレイイン技術を用いて曲りくねった蛇行する態様で（近接する稠密に編成される織編用経糸および緯糸１２ａ、１２ｂとは対照的に）近接する経織編用糸１２ｃ、１２ｄ、１２ｅおよび１２ｆと編成することができる。最初に編成されるように、電気的機能の糸１４は、緯入れまたはレイイン技術によってインターレースされて、電気的機能の糸１４部分に相対的に緩い開いた構造を与える態様で経糸織編用糸対１２ｃ、１２ｄおよび１２ｅ、１２ｆのまわりでループ形状になる。糸１４が、緊張状態に引張られて端部から端部まで真っすぐにされた場合、その「編成された通りの」状態における電気的機能の糸１４の有効長Ｌ１は、糸１４の真の長さＬ２よりも短いことが十分に理解される。電気的機能の糸１４の経編構造は、したがって、糸１４において、ある量の組込まれたたるみを与える。
【００２２】
スリーブ１０の壁部１１の経編に続いて、壁部１１を熱硬化して、スリーブ１０の自己巻付プロファイルを確立する。加熱ステップ中、壁部１１を巻付けて、対向する縁部１６、１８を互いと重なる関係にし、次いで、壁部１１を加熱して、熱硬化可能な緯糸１２ｂを熱硬化し、それによって、対向する縁部１６、１８をそれらの互いと重なる関係に付勢する傾向とする。次いで、壁部１１は、スリーブ１０の所望の仕上げ長さＬ１に切断される。切断に続いて、電気的機能の糸１４の自由端２６および２８を外方向に引張って、電気的機能の糸１４に張力を与える。そのような張力は電気的機能の糸１４を真っすぐにし、それによって、蛇行する電気的機能の糸１４のたるみを引出し、電気的機能の糸１４の端部部分２６ａ、２８ａをスリーブ１０の端部２０、２２を越えて延在させ、電気的機能の糸１４は、壁部１１のＬ１よりも長い、延在された、実質的に真っすぐにされた長さＬ２を有する（図４）。図３および図４の比較からさらに、電気的機能の糸１４を真っすぐにすることは、電気的機能の糸１４に張力をかけた後、電気的機能の糸１４の、前の緩い編成領域における編成を引き締めるよう、電気的機能の糸１４がそのまわりでループ状にされる近接する経糸１２ｃ、１２ｄ、１２ｆおよび１２ｅを互いに向かって横方向に内方向に引く効果があり、それによって、電気的機能の糸１４を引いた後、壁部１１の幅Ｗ１（図３）を仕上がった幅Ｗ２（図４）に低減することが分かる。このようにして、織編用糸１２の緊密な編成は、電気的機能の糸を摩耗などから保護するよう働く。
【００２３】
電気的機能の糸１４の突出する端部部分２６ａ、２８ａは、電力源もしくはデータ伝送源または場合に応じて両方への接続のための電気的なリードとして働いてもよい。
【００２４】
そのような自己巻付スリーブ１０の１つの適用例は、図１および図２で示されるように、凍結の傾向があるか、または流体を暖めることが望ましい場合における、流体圧送管、管またはホース２４のための保護被覆としてである。この場合、電気的機能の糸１４の少なくともいくつかは、好適な電源に結合される、電気抵抗を与えるワイヤになる。スリーブ１０において与えられる電気的機能の糸１４の数は、特定用途の加熱要求に依存する。２つのそのような電気的機能の糸１４が図面に示されるが、所望の場合には、さらなる糸１４を上に記載されるのと同じ態様で組込んで、電気的機能の糸１４がスリーブ１０の全周のまわりで展開することができる状態で、スリーブ１０の加熱容量を増大させてもよい。図１〜図４の実施の形態に示されるのは、軸１７に沿って経方向のみにおいて延在する電気的機能の糸１４であり、そのような糸１４は絶縁されてもよい。
【００２５】
図５は、（図３と同様の）張力をかけられる前の状態におけるスリーブ基板または壁部１１を示し、経編織編用糸１２ａ（この実施の形態ではマルチフィラメントである）はトリコットパターン（好ましくは閉じたトリコット編目）で編成され、緯編織編用糸１２ｂ（この実施の形態ではモノフィラメントであり、スリーブの自己巻付プロファイルを達成するために熱硬化可能であってもよい）は、前記経糸１２ａと、経編糸１２ａとの緯入れまたはレイイン技術によって統合され、さらに、電気的機能の糸１４（この実施の形態では抵抗を与えるワイヤ）も、緯入れまたはレイイン技術によって、近接する経糸１２ａと統合される。トリコット編成糸１２ａの領域は、トリコット編成糸１２ａの隣接領域から緯方向において離間され、電気的機能の糸１４によって隙間を横切って相互接続されることが理解される。（上に説明されたように）電気的機能の糸１４が編成後に張力をかけられると、糸１４の端部部分が引き出されて、（図４において示されるように）糸１４の延在された端部セクション２６、２８を与え、そうすることにおいて、糸１４におけるたるみが引き締められ、最初は離間されていたトリコット編成セクションは、引かれて接近して互いと接触して（図３および図４を比較）、摩耗および汚染の流入（例えば流体および残渣）に対して電気的機能の糸１４を保護する、緊密に編成されたスリーブ１０を与える。
【００２６】
代替物として、ダッシュ記号を付した同じ参照番号は同様の特徴を表すために用いられる図６に示されるように、スリーブの壁部１１’は、緯糸の電気的機能の糸１４’を有していることに加えて、さらに、非電気的機能の経糸１２ａ’に加えて経糸である１つまたはより多くの電気的機能の糸１４ａを組込んでもよい。緯糸１４’および経糸１４ａの電気的機能の糸は、ある領域で物理的に互いを横切り、互いと接触し、少なくともこれらの領域においては、緯糸および経糸１４’、１４ａは絶縁されておらず、互いと電気的に通じた状態にあって、接続された電気的機能の糸の格子またはウェブを形成する。この実施の形態では、経糸の電気的機能の糸１４ａは図３および図４の第１の実施の形態の経糸織編用糸１２ｃ〜１２ｆの代わりに与えられる。そのような糸１２ｃ〜１２ｆは、図５における位置において、電気的機能の糸１４の各々とどちらの側でもインターレースされたものに対応する。
【００２７】
スリーブは、ピラー、トリコットなどを含む、織編用糸のさまざまな異なる編成パターンを用いることができ、緯糸ジャンプナンバーは可変であり得る。
【００２８】
明らかに、この発明の多くの修正物および変形物が上記の教示に鑑みて可能であり、任意の究極的に許可された請求項の範囲内にありながら、具体的に記載された通り以外に実施されてもよい。
【図１】
0006453843.tif 000002
【図２】
0006453843.tif 000003
【図３】
0006453843.tif 000004
【図４】
0006453843.tif 000005
【図５】
0006453843.tif 000006
【図６】
0006453843.tif 000007